(57)【要約】【課題】  風向板への露付きが軽減され、かつ利用者の目に触れやすい筺体下面の吹出部近傍の意匠性を高めることができる空気調和機を提供する。【解決手段】  筺体１０の底面から正面前部に連続して大きく開口する吹出部４０の前部に、吹出横ルーバ４１を回転可能に配置し、運転停止時には吹出部４０の前部を封鎖し、運転時には吹出横ルーバ４１を所定の角度に開放する空気調和機であって、運転停止時に、前記吹出横ルーバ４１を筺体１０の底面から張り出して設けるようにする。【選択図】  図１
2012137268.tif 000002
【特許請求の範囲】
【請求項１】
筺体の底面から正面前部に連続して大きく開口する吹出部の前部に、吹出横ルーバを回転可能に配置し、運転停止時には前記吹出部の前部を封鎖し、運転時には前記吹出横ルーバを所定の角度に開放する空気調和機であって、運転停止時に、前記吹出横ルーバを前記筺体の底面から張り出して設けた
ことを特徴とする空気調和機。
【請求項２】
前記請求項１記載の空気調和機において、
運転停止時に、前記吹出横ルーバの両側に横並びで配置される部材を設け、この一対の部材の両端までの長さは前記筺体の横幅とほぼ一致する大きさである
ことを特徴とする空気調和機。
【請求項３】
前記請求項１記載の空気調和機において、
前記吹出横ルーバは、前記筺体の横幅と略同じ横幅を備えて形成し、この吹出横ルーバの両側の後端部に設けた回転軸部を介して回転可能に設けた
ことを特徴とする空気調和機。
【請求項４】
前記請求項１または２記載の空気調和機において、
前記吹出横ルーバは、前後方向に配列される複数のルーバで構成される
ことを特徴とする空気調和機。
【発明の詳細な説明】
【技術分野】
【０００１】
本発明は、屋外に設置される室外機と、屋内の壁面に設置される室内機とを冷媒配管で接続するセパレート型の空気調和機に関するものであり、特に、室内機の吹出部の後端部に常に開放する開口部を備えた空気調和機に関するものである。
【背景技術】
【０００２】
一般家庭に普及している冷凍サイクルを利用した空気調和機は、圧縮機を備えて屋外に設置される室外機と、送風ユニットを備えて室内の壁面に設置される室内機とを冷媒配管で接続したセパレート型のものが主流である。この室内機は、その筺体の内部に環流ファンと、この環流ファンを包むように折り曲げて形成される熱交換器を備えている。そして、これら従来例の室内機は、環流ファンを駆動させることにより、筺体の上方に設けた吸込部から吸い込んだ室内空気を、前記熱交換器を介して、温風または冷風に熱交換し、この室内空気を筺体下部に設けた吹出部から吹き出す構造を備えている。
【０００３】
また、これら室内機は、運転停止時には吹出部を覆うことが可能な吹出横ルーバと、この吹出横ルーバの内側に配置される複数の吹出縦ルーバとを備えることで、温風または冷風の風向を制御することができる。特に、吹出横ルーバは、駆動部を備えて、冷房や暖房などの運転モードに対応して回転角度が制御され、更に運転停止時には吹出部を隠蔽して意匠性を高めている。
【０００４】
従来構造の吹出横ルーバは、筺体下部に形成される吹出部の内側に収まる大きさを備えて、運転停止時には、吹出横ルーバの表面が周囲の筺体面と面一となり、運転時には、吹出横ルーバの前端部が前方に張り出し、後端部が内部に入り込むように回転する構造を備えることで、吹出横ルーバの表面と裏面に空気流を形成して、吹出横ルーバへの露付きを軽減している。
【先行技術文献】
【特許文献】
【０００５】
【特許文献１】特開２０１０−３２２１０号公報
【特許文献２】特開２００９−７９７８７号公報
【特許文献３】登録意匠第１３８９０４５号公報
【発明の概要】
【発明が解決しようとする課題】
【０００６】
近年の壁面取り付けの室内機は、室内環境への調和と運転効率を向上するために、筺体正面がフラットで、筺体上面に広い吸込部を備えた箱型の筺体構造を備えている。しかも、冷房時は前方へ、暖房時は下方へ空気を吹き出すために、吹出部を備えた筺体下面は前方に行くに従って立ち上がる傾斜面とする構造を備えている。特に、近年の室内機は、筺体の高さ寸法より筺体の奥行き寸法を大きくすることで、筺体上面に広い吸込部を形成したものが増えている。このような寸法体系を備えた室内機では、筺体の下面も広い面積となる。
【０００７】
このように前方に立ちあがった傾斜面を備えた室内機を壁面に設置した場合、傾斜面に配置する吹出部が利用者の目に触れやすくなる。従来例では、吹出部に吹出横ルーバを備えることで、この吹出横ルーバで運転停止時の吹出部の開口部を覆う構造としている。しかし、従来例では、吹出横ルーバの露付き防止を図るため開口部が、吹出部の後端部に常に形成されているため、この開口部が利用者の目に触れやすくなり、室内のインテリアに調和し難いという課題がある。
【０００８】
そこで、この発明の目的とするところは、風向板への露付きが軽減され、かつ利用者の目に触れやすい筺体下面の吹出部近傍の意匠性を高めることができる空気調和機を提供することにある。
【課題を解決するための手段】
【０００９】
前記目的を達成するために、本発明に係る空気調和機は、筺体の底面から正面前部に連続して大きく開口する吹出部の前部に、吹出横ルーバを回転可能に配置し、運転停止時には吹出部の前部を封鎖し、運転時には吹出横ルーバを所定の角度に開放する空気調和機であって、運転停止時に、前記吹出横ルーバを筺体の底面から張り出して設けるようにする。
【発明の効果】
【００１０】
本発明によれば、吹出横ルーバへの露付きを防止するために、吹出部の後方位置に常に開放して形成される開口部を、吹出横ルーバを筺体面から張り出して設けることにより使用者から見えにくくなるから、露付き防止を図りつつ意匠性を向上させることができる。
【図面の簡単な説明】
【００１１】
【図１】この発明の第１実施例に係る空気調和機の室内機の概略説明図である。
【図２】この発明の第１実施例に係る空気調和機の室内機の内部構成図である。
【図３】この発明の第１実施例に係る空気調和機の室内機の外観図である。
【図４】この発明の第１実施例に係る空気調和機の室内機の動作図である。
【図５】この発明の第１実施例に係る空気調和機の室内機の比較図である。
【図６】この発明の第２実施例に係る空気調和機の室内機の概略説明図である。
【発明を実施するための形態】
【００１２】
以下、図１から図６を参照して、この発明に係る空気調和機を具体的に説明する。ここで、図１から図５が第１実施例に係る空気調和機を示し、図６が第２実施例の空気調和機を示している。なお、同様な部位や方向などについては同一符号をもって示して、重複した説明を省略する。
（第１実施例）
図１から図５はこの発明の第１実施例に係る空気調和機を示している。ここで、図１は室内機の概略説明図であり、（ａ）図が室内機の外観斜視図、（ｂ）図が室内機の縦断面図である。図２は、室内機の内部構成図であり、（ａ）図が平面図、（ｂ）図が正面図、（ｃ）図が縦断面図である。図３は室内機の外観図であり、（ａ）図が平面図、（ｂ）図が正面図、（ｃ）図が右側面図、（ｄ）図が底面図である。図４は、室内機の動作図であり、（ａ）図が動作状態を示す右側面図、（ｂ）図が動作状態を示す縦断面図である。図５は室内機の比較図であり、（ａ）図が本実施例の縦断面図を示し、（ｂ）図が従来構造の吹出横ルーバを採用した縦断面図である。
【００１３】
先ず、図１を参照して、この実施例に係る空気調和機の概略構造を説明する。図１において、この実施例に係る空気調和機は、圧縮機を備えて屋外に設置される図示しない室外機と、環流フアン１１を備えて室内の壁面に取り付けられる室内機１とを図示しない冷媒配管を介して接続することで、室内機１による冷暖房を可能にするものである。
【００１４】
この室内機１は、高さ寸法Ｈ１より奥行き寸法Ｄ１が大きく、この奥行き寸法Ｄ１より横幅寸法Ｗ１が大きい横長の筺体１０を備えている。筺体１０の外観形状は、その上面を略水平に形成し、筺体１０の下面を前方に行くに従って徐徐に立ちあがり、先端部では大きな丸みをもって筺体１０の前面に連続する先細りの箱型形状としている。また、筺体１０の内部には、この筺体１０の上面に形成される吸込部２０から取り込んだ空気をこの筺体１０の下面の前部に形成される吹出部４０から吹き出す空気流路１３が形成されている。
【００１５】
この空気流路１３には、その長手方向をこの筺体１０の長手方向と一致するように配置される環流フアン１１と、この環流フアン１１の前方と上部を覆うように配置される熱交換器１２とが内蔵されている。（ｂ）図に示すように、筺体１０のほぼ中央に配置される環流フアン１１の前後には、前部ドレン皿１４と、後部ドレン皿１５が設けられ、この前部ドレン皿１４と後部ドレン皿１５を跨いで環流フアン１１の上部を覆うように熱交換器１２が配置されている。
【００１６】
また、この実施例は、常に開放して設けられる吸込部２０から室内の空気を取り込む構造としている。（ｂ）図に示すように、吹出部４０は、環流フアン１１から吹き出される空気を前方にも吹き出せるように、環流フアン１１と前部ドレン皿１４の下方を大きく開放するように、筺体１０の長手方向に沿って形成される。この吹出部４０には、吹出横ルーバ４１と、この吹出横ルーバ４１の内側後方に配置される吹出縦ルーバ４２が設けられている。この吹出横ルーバ４１は、図示しないルーバ駆動機構部を介して、実線で示すように、吹出部４０を封鎖した状態と、破線で示すように、吹出部４０を解放して空気流を所定の方向に案内するように所定の角度に動作させることができる。
【００１７】
この実施例では、環流フアン１１やルーバ駆動機構部などは、筺体１０内に設けられる図示しない制御部によって統括制御され、また、この制御部は図示しない遠隔操作装置によって操作指示を受け付けることができる。
【００１８】
ここで、この実施例では、吹出横ルーバ４１の開閉の如何にかかわらず常に開放した領域（開口部）４３を吹出部４０の後部に形成している。吹出横ルーバ４１は円弧状の断面を備えており、回転すると吹出部４０を上下に二分する位置となる。これにより吹出横ルーバ４１の表面４１ａと裏面４１ｂに気流を流すことができる。気流は吹出横ルーバ４１の円弧に沿って流れるコアンダ効果で、冷房時には気流を上方向に流し、暖房時には下方向に流すように作用する。
【００１９】
なお、コアンダ効果とは、水や空気など流体の中に物体を置くと、物体に沿って流体の流れの向きが変わるという現象である。身近な例としては、水道の蛇口から流れる水にストローや箸を近づけると、それに沿って水の流れが変わるという現象が、コアンダ効果に当たる。
【００２０】
吹出横ルーバ４１の内側面（裏面４１ｂ）だけに気流を流す場合、吹出横ルーバ４１の外側（表面４１ａ）のコアンダ効果分が得られないので、気流の指向性を（両面に流れるときと同じように）得るためには、吹出横ルーバ４１の前後の長さを延長し大型化する必要があると考えられる。吹出横ルーバ４１を前後に大型化しなくても吹出横ルーバ４１の後ろに吹出部４０の開口を設けておくことで、吹出横ルーバ４１の両面に気流を流しコアンダ効果を得られるメリットがある。
【００２１】
また、吹出横ルーバ４１の両面に気流を流すことで、ハネの表裏の温度は一定に保たれて温度の変化がしにくいが、片面にだけ気流を流すと、気流の流れている面と反対側の面とで温度差が生じやすい。このため、温度差が大きくなると吹出横ルーバ４１の面に結露が発生し水滴が流れ出てしまう。これを防止するためには吹出横ルーバ４１の表面に断熱材や吸湿材を貼り付けるなどの結露対策が必要となりコストアップに繋がる。
【００２２】
この露付きの課題を解決するためには、吹出横ルーバ４１の表面４１ａと裏面４１ｂに空気（冷気）を流すことによって軽減することができる。これを実現するためには、吹出横ルーバ４１の奥行き方向の中央に回転軸Ｐ１を備えて、運転時には、吹出横ルーバ４１の前端部４１ｃを外側に、後端部４１ｄを内側に張り出させることによって達成できる。
【００２３】
しかし、吹出部４０の後端部を覆う大きさを備えた吹出横ルーバ４１を動作させた場合、内側に張り出す吹出横ルーバ４１の後端部４１ｄが吹出縦ルーバ４２に当たってしまうという課題がある。この課題を解決するために、吹出縦ルーバ４２を奥側に設けることも考えられるが、この構造では吹出縦ルーバ４２の風向制御に課題が残る。そこで、この実施例では、吹出横ルーバ４１の内側に張り出す後端部４２ｄの長さを短くしている。これにより、この実施例では、常に開放した領域（開口部）４３を吹出部４０の後部に形成している。
【００２４】
そして、この実施例に係る空気調和機１の大きな特徴の１つは、運転停止時に、前記吹出横ルーバ４１を筺体１０の底面から張り出して設けた点にある。
【００２５】
即ち、前記したように、この種の壁取付型の空気調和機では、吹出横ルーバ４１による上下方向の風向制御と、吹出縦ルーバ４２による左右方向の風向制御とを効率よく行い、かつ、吹出横ルーバ４１への露付きを軽減するために、吹出部４０の後方位置に常に開放して形成される領域（開口部）４３を設ける必要がある。しかし、壁取付型の空気調和機では、吹出部４０を備えた筺体１０の下面が利用者の目に触れやすいため、常に開放した領域（開口部）４３が意匠性を悪くする課題がある。
【００２６】
この実施例では、運転停止時に、前記吹出横ルーバ４１を筺体１０の底面から張り出して設けることにより、常に開放した領域（開口部）４３を見え難くすることができるから、吹出横ルーバ４１への露付き防止を図りつつ意匠性を向上させることができる。
【００２７】
また、この実施例に係る空気調和機１の大きな特徴の他の１つは、高さ寸法Ｈ１より奥行き寸法Ｄ１が大きく、この奥行き寸法Ｄ１より横幅寸法Ｗ１が大きい筺体１０の底面を、前方に行くに従って徐徐に立ちあがった傾斜面１６を形成し、この傾斜面１６に形成される吹出部４０に配置される吹出横ルーバ４１を、傾斜面１６から下方に張り出して設けた点にある。
【００２８】
前記したように、壁取付型の空気調和機では、常に開放した領域（開口部）４３が意匠性を悪くする課題がある。特に、この実施例のように、高さ寸法Ｈ１より奥行き寸法Ｄ１が大きく、この奥行き寸法Ｄ１より横幅寸法Ｗ１が大きい筺体１０においては、設置時に利用者に眼に触れやすい筺体１０の底面部が広くなる。加えて、この種の奥行きのある筺体１０においては、筺体１０をより小さくまとめるために、筺体１０の底面を「まくしあげ形状」が有効である。したがって、この実施例のような奥行きのある筺体１０では、常に開放した領域（開口部）４３が利用者から見えやすくなり、美観を損ねる課題が大きくなる。そこで、この実施例では、吹出横ルーバ４１を筺体１０の底面から張り出して設けることにより、前記課題を軽減することができる。
【００２９】
また、この実施例に係る空気調和機１の大きな特徴の他の１つは、筺体１０の底面から張り出して設けられる吹出横ルーバ４１を、筺体１０の背面で構成される壁面との設置面４７の投影面積内に収めた点にある。この構造によれば、設置性と梱包サイズを維持しつつ、前記課題である常に開放した領域（開口部）４３を利用者から見え難くすることができる。
【００３０】
また、この実施例に係る空気調和機１の大きな特徴の他の１つは、筺体１０の底面から張り出して設けられる吹出横ルーバ４１の両側に、この吹出横ルーバ４１に合わせて化粧部材４６を設け、この化粧部材４６の一方に遠隔操作装置からの操作信号を受信する信号受信部４４と、運転状態表示部４５を配置した点にある。
【００３１】
即ち、通常、筺体１０の底面に配置される吹出部４０は、周囲に筺体１０の筺体面が形成される。  このため、吹出部４０に設けられる吹出横ルーバ４１の横幅Ｗ２は、吹出部４０の横幅Ｗ２と同じ横幅となる。したがって、吹出横ルーバ４１を筺体１０の底面から張り出して設けようとすると、吹出横ルーバ４１のみが張り出して、意匠性を高めることができない。特に、この実施例では、筺体１０長手方向の一方の内部に電気品室６０(図２参照)を配置しているため、吹出部４０の配置も電気品室６０に合わせて片側に偏った配置となる。このため、前記課題が助長される。
【００３２】
そこで、この実施例では、吹出横ルーバ４１の横幅調整部材として、その両側に第１化粧部材４６ａと第２化粧部材４６ｂを横並びで形成することにより、筺体１０の底面に張り出した吹出横ルーバ４１と筺体１０との連続した印象を強くさせて意匠性を高めることができる。更にまた、この構造によれば、吹出横ルーバ４１のオフセットしている印象を軽減することができる。
【００３３】
以下、図２から図５を参照して、この実施例に係る室内機１の構造を更に説明する。
【００３４】
先ず、図２を参照して、室内機１に内蔵される構造部材の配置について説明する。この実施例の筺体１０は、裏面側を構成する主キャビネット８０と、底面の外装体を構成する下ケース８１と、上面を構成する上ケース８２と、前面を構成する前ケース８３とを含んで構成される。
【００３５】
主キャビネット８０は、この筺体１０の骨格を構成するものであり、下ケース８１や上ケース８２及び内部機器などの各部材がネジ等を介して取り付けられる。つまり、この主キャビネット８０は、裏面側の空気流路１３や後部ドレン皿１５を備えて構成され、この内側に、環流フアン１１や熱交換器１２、及び環流フアン１１の駆動部６１、電装品６２、フィルタ掃除機構部６３、前部ドレン皿１４、吹出横ルーバ４１、吹出縦ルーバ４２などが、直接、あるいは図示しないシャーシを介して間接的に取り付けられる。
【００３６】
この実施例では、筺体１０の長手方向の片側に電気品室６０を形成し、この電気品室６０に駆動部６１と電装品６２を集中配置している。このため、環流フアン１１と熱交換器１２は一方の片側にオフセットされて配置される。
【００３７】
下ケース８１と上ケース８２は、筺体１０の両側面の中央に形成される結合部８４によって上下に分割される外装部品である。下ケース８１は、結合部８４の下方の両側面と、この両側面を連続する底面部とで形成される。この実施例では、筺体１０の上面の殆どが吸込部２０で構成されるため、上ケース８２は結合部８４の上部の両側面で構成される。前ケース８３は、内側の上部に設けた可動アーム８５を介して、主キャビネット８０に開閉可能に取り付けられる。
【００３８】
次に、図３及び図１を参照して、室内機１の外観構造を説明する。図１において、この実施例の筺体１０は、奥行き寸法Ｄ１が高さ寸法Ｈ１より大きい、奥行きのある横長の直方体形状を基調としている。その具体的な造形は、図３（ｃ）図に示す側面図に表されるように、上面がわずかに前方に傾斜した略水平な平面であるのに対し、底面は、裏面側から前方に行くに従ってわずかに立ち上がる傾斜が、吹出部２０の後端部から大きな円弧で上方に立ちあがって吹出部２０の前端部に至り、この前端部がやや下方に傾斜した略垂直な面を備えた円弧状の前ケース８３に連続する前すぼみの形状を備えている。この造形を備えた筺体１０は、裏面を壁面の高い位置に設置された設置状態では、利用者の目に最も触れやすい正面下部が大きな円弧で形成されているので、圧迫感が軽減される。
【００３９】
また、この実施例では、吸込部２０を上面にのみ設けているので、筺体１０の正面を、空気を吸い込むための開口部のない平面的な前ケース８３で構成することができる。そして、この前ケース８３を大きな円弧で形成することにより、筺体１０の正面と底面を大きな丸みで連続する円弧面とすることができるから、室内のインテリアに調和させることができる。
【００４０】
ここで、筺体１０の正面と底面を大きな丸みで形成すると、吹出部４０が利用者の目に最も触れやすくなるという課題が生じる。そこで、この実施例では、吹出部４０の前面に吹出横ルーバ４１を備え、その両側に、この吹出横ルーバ４１と連続する第１化粧部材４６ａと第２化粧部材４６ｂを配置し、これら三つの部材の横幅の合計寸法が筺体１０の横幅と一致するように形成している。
【００４１】
この吹出部４０近傍の造形によれば、運転停止状態において、利用者の目線に最も触れやすい吹出部２０の近傍を前記３つの部材から成る帯状の平坦面で形成することができる。しかも、３つの部材から成る帯状の平坦面は、丸みのある前ケース８３と連続した形態とすることができるので、意匠性を向上することができる。
【００４２】
特に、この実施例では、３つの部材から成る帯状の平坦面を、筺体１０の底面から浮かして、張り出した形状とすることで、吹出部４０の後端部側に形成される常に開放した領域（開口部）４３を設置状態における利用者の目線から見え難くすることができるので、意匠性を向上することができる。
【００４３】
また、この実施例では、利用者の目線に最も触れやすい第１化粧部材４６ａに信号受信部４４と運転状態表示部４５を集中配置することで、意匠性を向上しつつ、視認性を向上させることができる。
【００４４】
なお、この実施例の筺体１０の上面は、熱交換器１２の上部を露出する吹出部４０とし、この吹出部４０の一方の片側は電気品室６０を覆う広い平坦面とし、他方の片側は狭い平坦面としている。
【００４５】
次に、図４と図５を参照して、この実施例に係る室内機１の動作状態を更に説明する。
【００４６】
図４(ｂ)図において、この実施例に係る室内機１によれば、環流フアン１１を回転させることにより、吸込部２０から筺体１０内に取り込まれた室内空気は、熱交換器１２を通過して熱交換が行われ、吹出部４０から室内に吹き出される。吹出部４０から吹き出される熱交換された空気は、吹出縦ルーバ４２により左右の風向が制御され、また、吹出横ルーバ４１より上下の風向が制御される。吹出横ルーバ４１は、図４（ａ）図に示すように、運転停止状態では吹出部４０の前部を封鎖し、この封鎖した位置から、運転モードに対応して略９０度開放した位置まで回転させることができる。
【００４７】
吹出横ルーバ４１は、運転状態では、吹出横ルーバ４１の表面４１ａと裏面４１ｂに空気が流れるので、露付きが軽減される。
【００４８】
一方、この実施例では、前ケース８３の裏面側に空気清浄フィルタ１７を設置することができる。即ち、この実施例では、吸込部２０から筺体１０に取り込んだ室内空気の一部を前ケース８３の裏面側に導かせることができる。この裏面側の室内空気は、空気清浄フィルタ１７と熱交換器１２を通過して吹出部４０から吹き出される。この構造によれば、室内機１を空気清浄機としても利用することができる。
【００４９】
また、この実施例では、可動アーム８５を介して前ケース８３を開放し、また着脱することができる。この開放機構によれば、空気清浄フィルタ１７の交換を可能にすることができるとともに、前ケース８３を取り外して清掃することもできる。更に、吸込部２０の長手方向に沿って駆動するフィルタ掃除機構部６３のメンテナンスも行うことができる。
【００５０】
図５において、（ｂ）図に示すように、従来の吹出部４０の構造では、吹出部４０を構成する開口部に収まるように吹出横ルーバが設けられている。したがって、運転停止状態の吹出横ルーバは、その表面が周囲の筺体面と面一になる構造としているのが一般的である。この構造によれば、利用者は、吹出部４０の後端部側に形成される常に開放した領域（開口部）４３をそのまま視認することとなるため、意匠性を損なう課題がある。
【００５１】
この課題に対し、この実施例の吹出部４０の構造では、吹出部４０から吹出横ルーバ４１が外側に張り出して形成される。このため、（ａ）図に示すように、利用者が設置状態の室内機１を見上げた場合、吹出部４０の後端部側に形成される常に開放した領域（開口部）４３が下方に張り出した吹出横ルーバ４１によって見えずらくなるので、意匠性を向上することができる。特に、この実施例では、吹出横ルーバ４１の両側に第１化粧部材４６ａと第２化粧部材４６ｂを設けることで、吹出部４０の近傍を前ケース８３と連続する平坦面で形成しているので、常に開放した領域（開口部）４３の存在を軽視させることができる。
【００５２】
図１において、一般に、室内機１を正面から見て小さく見えるように造形するには筺体１０の底面をまくしあげる形状が有効である。しかし、このような造形を備えた筺体１０では、吹出横ルーバ４１の後ろにある常に開放した領域（開口部）４３が見えやすく、美観を損ねる課題がある。特に、この実施例のように、筺体１０の長手方向の片側に電気品室６０を設け構造では、吹出部４０が他方側にオフセットされるため、正面が非対称に見え、バランスが悪くなる。
【００５３】
そこで、この実施例では、吹出横ルーバ４１の両側に化粧部材４６（第１化粧部材４６ａ、第２化粧部材４６ｂ）を設け、更に、この３つの連続した帯状の部材を筺体１０の底面から張り出して形成する構造を採用した。しかも、この３つの連続した帯状の部材を丸みのある前ケース８３と連続する曲面で形成した。更に、筺体１０の底面を、前方に立ちあがった傾斜面で形成することで、この傾斜面に設けられる前記３つの部材が筺体１０の背面部（設置面）の投影面積内に収まるように構成した。
【００５４】
この実施例によれば、吹出横ルーバ４１を張り出して設けたことにより、運転停止状態では、常に開放した領域（開口部）４３を開口した領域として感じさせないことが出来る。また、前記３つの部材は、横方向に連続した形状に見え、しかも、筐体１０から分割された造形としているので、この３つの部材の色彩を筐体１０の色彩と別色に設定することができる。例えば、筺体１０の正面を上下のツートーンカラーに見せることができるから、吹出部４０のオフセットしていることを感じにくくすることができる。更に、前記３つの部材は、前ケース８３と連続した曲線であることから、この３つの部材と筺体１０の色彩を同色とすることにより、一体感あるデザインとすることもできるから、製品（デザイン）バリエーション展開をしやすくすることができる。
（第２実施例）
次に、図６を参照して、第２実施例に係る室内機１の具体的な構造を説明する。ここで、図１は第２実施例に係る室内機の概略図であり、（ａ）図が室内機の外観斜視図、（ｂ）図が内部機器のレイアウトを示す室内機の右側面図、（ｃ）図が吹出横ルーバの回転機構を示す参考図である。
【００５５】
図６において、この実施例は、前記第１実施例と同様、運転停止時に、前記吹出横ルーバ４１を筺体１０の底面から張り出して設けることにより、常に開放した領域（開口部）４３を見え難くすることができるから、吹出横ルーバ４１への露付き防止を図りつつ意匠性を向上させることができる構造を備えたものであるが、以下の特徴的な構造も備えている。
【００５６】
即ち、この第２実施例の特徴の他の１つは、吹出横ルーバ１４１を、筺体１０の横幅いっぱいまで延長して設けた点である。
【００５７】
つまり、従来の吹出横ルーバは、吹出部４０の開口部の大きさに収まる大きさを備えることが一般的である。このため、吹出横ルーバを筺体１０の底面から張り出して設ける場合、吹出横ルーバの横幅は、筺体１０の横幅より小さくなるため、下方に張り出す吹出横ルーバが強調され、意匠性が悪かなる課題がある。そこで、前記第１実施例では、吹出横ルーバ４１両側に化粧部材４６を設けることで、前記課題を解決した。
【００５８】
この第２実施例では、吹出横ルーバ１４１の横幅を筺体１０の横幅と同じ大きさのものを採用することで、前記課題を解決したしたものである。しかし、筺体１０と同じ横幅の吹出横ルーバ１４１を回転させようとすると、その回転構造は複雑なものとなる。つまり、吹出横ルーバ１４１の横幅は、吹出部４０の横幅より大きくなるため、その回転機構は、複雑な持ち出しヒンジ機構を用いるか、あるいは、吹出横ルーバ１４１の長手方向の両端部を切欠いて、この切欠部が回転する際に吹出部４０内に入り込む構造を採用しなければならない。このような構造は、コスト高を招いたり、あるいは切り欠いた部分が意匠性を悪くする課題が新たに生じる。
【００５９】
そこで、この第２実施例では、吹出横ルーバ１４１の両側の後端部に内側に張り出した回転軸受部１４２を設けるとともに、この回転軸受部１４２が取り付けられる筺体１０の両側端部に回転軸部１５１を設けて、この一対の回転軸部１５１に一対の回転軸受部１４２を取り付ける構造とすることにより、前記新たな課題をも解決している。
【００６０】
より具体的には、回転軸受部１４２は、半円形の張出部１４３と、この張出部１４３の内側に設けられる図示しない回転軸穴とを含んで構成する。一方、回転軸部１５１は、半円形の張出部１４３を包含する半円形の凹部１５２と、筺体１０の外側に張り出して配置される回転軸１５３とを含んで構成する。
【００６１】
この構造によれば、回転軸１５３が前記回転軸穴に取り付けられることによって、張出部１４３が凹部１５２内を回転する。そして、回転軸１５３の軸心Ｐ２は、筺体１０の底面と吹出横ルーバ１４１との接触面に設けられるから、吹出横ルーバ１４１は、その後端部の軸心Ｐ２を中心に回転することができる。
【００６２】
更に、この構造によれば、吹出横ルーバ１４１を回転させた状態では、その後端部４１ｄが筺体１０内に入り込まないので、吹出縦ルーバ４２を吹出部４０の出口近傍に設けることができるから、筺体１０をコンパクトにできるとともに、左右方向の風向制御を良好にすることができる。
【００６３】
また、この第２実施例の特徴の他の１つは、筺体１０の高さ寸法Ｈ１より奥行き寸法Ｄ１を大きくして、熱交換器１２と前ケース８３との間に電気品室６０を配置した点である。
【００６４】
即ち、第１実施例では、電気品室６０を筺体１０の長手方向の一方の片側に配置していた。このため、吹出部４０が筺体１０の左右方向（幅方向）に対して非対象となる課題がある。この実施例では、この非対称の大きな要因である電気品室６０（図２に示す電装品６２）を熱交換器１２と前ケース８３との間に配置した。これにより、環流フアン１１を筺体１０の長手方向の両端部近傍まで拡張して配置することができるから、吹出部４０を筺体１０に対して対象に配置することができる。
【００６５】
この実施例の奥行き方向に長い筺体１０の構造によれば、熱交換器１２の前部に電気品室６０のスペースを確保することができるとともに、筺体１０の上面に広い吸込部２０を確保することができる。これにより、この広い吸込部２０から取り込んだ室内空気を幅の広い熱交換器１２で熱交換して、この熱交換した空気を幅の広い吹出部４０からワイドに吹き出すことができる。
【００６６】
また、この第２実施例の特徴の他の１つは、吹出横ルーバ１４１を、奥行き方向に前後に配置される複数のルーバ（第１吹出横ルーバ１４１ａと第２吹出横ルーバ１４１ｂ）で構成した点にある。
【００６７】
即ち、壁面に取り付けられて、筺体１０の下方に吹出部４０を備えた室内機１においては、暖房時は筺体１０の下方に、冷房時は筺体１０の前方に熱交換された室内空気を吹き出す必要がある。しかし、筺体１０の底面が水平に近い筺体面である場合には、吹出部４０が下方に向いているため、冷房時の吹出し性能が悪くなる。特に、筺体１０の奥行き寸法が長く、電気品室６０を筺体１０の前部に配置する構造では、前記課題が大きくなる。
【００６８】
そこで、この実施例では、電気品室６０の下方まで吹出部４０を拡張して前記課題を解決している。しかも、この前後（奥行き方向）に拡張された吹出部４０を1枚の吹出横ルーバ１４１で隠蔽し、かつ風向制御するには、吹出横ルーバ１４１の駆動構造が大型化するため、奥行き方向に前後に分割される複数のルーバ（第１吹出横ルーバ１４１ａと第２吹出横ルーバ１４１ｂ）で構成した。
【００６９】
この構造によれば、運転停止時には前記第1実施例と同様な作用効果を得ることができるとともに、運転時には、複数のルーバ（第１吹出横ルーバ１４１ａと第２吹出横ルーバ１４１ｂ）を介してラッパ状に広がる空気流路１３を延長させることができる。つまり、冷房時には、複数のルーバを介して室内空気を前方へ案内することができるし、また、暖房時には、第２吹出横ルーバ１４１ｂを介して気流を押し下げる効果もえることができる。
【符号の説明】
【００７０】
１…室内機、１０…筺体、１１…環流フアン、１２…熱交換器、１３…空気流路、１４…前部ドレン皿、１５…後部ドレン皿、１６…傾斜面、１７…空気清浄フィルタ、２０…吸込部、４０…吹出部、４１…吹出横ルーバ、４１ａ…表面、４１ｂ…裏面、４１ｃ、…前端部４１ｄ…後端部、４２…吹出縦ルーバ、４３…常に開放した領域（開口部）、４４…信号受信部、４５…運転状態表示部、４６…化粧部材、４６ａ…第１化粧部材、４６ｂ…第２化粧部材、４７…設置面、６０…電気品室、６１…駆動部、６２…電装品、６３…フィルタ掃除機構部、８０…主キャビネット、８１…下ケース、８２…上ケース、８３…前ケース、８４…結合部、８５…可動アーム、１４１…吹出横ルーバ、１４１ａ…第１吹出横ルーバ、１４１ｂ…第２吹出横ルーバ、１４２…回転軸受部、１４３…張出部、１５１…回転軸部、１５２…凹部、１５３…回転軸、Ｈ１…高さ寸法、Ｄ１…奥行き寸法、Ｗ１…横幅寸法、Ｗ２…吹出横ルーバ４１の横幅、Ｐ１…回転軸、Ｐ２…軸心
【図１】
2012137268.tif 000003
【図２】
2012137268.tif 000004
【図３】
2012137268.tif 000005
【図４】
2012137268.tif 000006
【図５】
2012137268.tif 000007
【図６】
2012137268.tif 000008